【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
室内機本体に設けられる吸込み口に対向してエアフィルタを設置し、このエアフィルタを往復移動させることで、エアフィルタ表面に付着した塵埃を除去し、吸排気装置を介して屋外へ排出するエアフィルタ清掃ユニットを備えた空気調和機の室内機において、
上記エアフィルタ清掃ユニットは、
上記エアフィルタの移動と連係して回転駆動してエアフィルタ表面に付着する塵埃を除去する回転ブラシ、この回転ブラシの一部を挿入させエアフィルタに接触させるための開口部、上記回転ブラシ側部の軸方向に沿って設けられ回転ブラシが掻き取った塵埃を回収するとともに上記吸排気装置に連通する塵埃受け通路を備え、上記室内機本体の幅方向に亘って配置されたダストボックスと、
このダストボックスの上記開口部を閉塞するシール部材と、
上記エアフィルタを往復移動させるエアフィルタ移動機構と、
上記シール部材を上下動自在に支持するリフト機構と、
上記回転ブラシを回転駆動する回転ブラシ駆動機構と、
上記エアフィルタ移動機構とリフト機構、および回転ブラシ駆動機構の駆動部と、
を備えたことを特徴とする空気調和機の室内機。
【請求項２】
上記駆動部は、上記回転ブラシ駆動機構と上記リフト機構を連係して駆動し、
上記リフト機構は、回転ブラシ駆動機構の動作中はシール部材を下降位置に保持し、回転ブラシ駆動機構の動作が終了した状態で上昇駆動して、シール部材で開口部を閉塞することを特徴とする請求項１記載の空気調和機の室内機。
【請求項３】
上記駆動部は、上記リフト機構が上昇していることを検知するスイッチを備えたことを特徴とする請求項１および請求項２のいずれかに記載の空気調和機の室内機。
【手続補正２】
【補正対象書類名】明細書
【補正対象項目名】０００７
【補正方法】変更
【補正の内容】
【０００７】
上記目的を満足するため本発明の空気調和機の室内機は、室内機本体に設けられる吸込み口に対向してエアフィルタを設置し、このエアフィルタを往復移動させることでエアフィルタ表面に付着した塵埃を除去し、吸排気装置を介して屋外へ排出するエアフィルタ清掃ユニットを備え、エアフィルタ清掃ユニットは、エアフィルタの移動と連係して回転駆動してエアフィルタ表面に付着する塵埃を除去する回転ブラシ、この回転ブラシの一部を挿入させエアフィルタに接触させるための開口部、回転ブラシ側部の軸方向に沿って設けられ回転ブラシが掻き取った塵埃を回収するとともに吸排気装置に連通する塵埃受け通路を備え室内機本体の幅方向に亘って配置されたダストボックスと、このダストボックスの上記開口部を閉塞するシール部材と、エアフィルタを往復移動させるエアフィルタ移動機構と、シール部材を上下動自在に支持するリフト機構と、回転ブラシを回転駆動する回転ブラシ駆動機構と、リフト機構とエアフィルタ移動機構および回転ブラシ駆動機構の駆動部を備えた。
【手続補正３】
【補正対象書類名】明細書
【補正対象項目名】０００８
【補正方法】変更
【補正の内容】
【０００８】
本発明によれば、前部エアフィルタおよび上部エアフィルタとエアフィルタ清掃ユニットを室内機本体内の所定位置に正確に設置できるために、製品によるバラツキを抑えて、エアフィルタ清掃ユニットの各エアフィルタに対する清掃作用が正確に行われる。  
エアフィルタ移動機構に対する回転ブラシ駆動機構と、リフト機構の動作を一つの駆動部で行うようにしたから、各エアフィルタに対する清掃運転と、清掃運転後の塵挨排出運転を確実に行える。  
リフト機構が作動してシール部材がダストボックスの開口部を閉塞していることをスイッチで検知するようにしたので、吸排気装置による塵挨排出運転時における上記開口部の開放を確実に防止できて、信頼性の向上を得られる。
【手続補正４】
【補正対象書類名】明細書
【補正対象項目名】００３８
【補正方法】変更
【補正の内容】
【００３８】
図１０（Ａ）に示す（図３にも示している）ように、上記駆動部２５は、４個の駆動源である第１〜第４の駆動モータ４６〜４９と、これら駆動モータ４６〜４９を側面部に取付け、内部に後述するギヤ列を収容するケーシング５１を備えたギヤ組立Ｇとから構成される。  
図５および図６に示す、上記第１の駆動モータ４６と第２の駆動モータ４７は、後述するようにして前部エアフィルタ１７を移動する前部移動機構５２と上部エアフィルタ２０を移動する上部移動機構５３の、それぞれに対する駆動源であり、これら前部移動機構５２と上部移動機構５３でエアフィルタ移動機構５５が構成される。
【手続補正５】
【補正対象書類名】明細書
【補正対象項目名】００３９
【補正方法】変更
【補正の内容】
【００３９】
上記エアフィルタ移動機構５５において、前、上部移動機構５２，５３を駆動するのに必要なトルクを確保するには、本来、大型の駆動モータを１個用意すれば足りるが、大型モータを枠体組立に取付けると、大径寸法であるので電気部品箱９および前面パネル２と干渉してしまう。そこで、必要トルクの半分のトルクを備えた２個の小型駆動モータ４６，４７を用意して、取付けスペース上の不具合を解消している。
【手続補正６】
【補正対象書類名】明細書
【補正対象項目名】００４１
【補正方法】変更
【補正の内容】
【００４１】
図１１は、駆動部２５の一部を省略した斜視図である。  
上記第３の駆動モータ４８のみ示し、他の駆動モータは省略しているとともに、ギヤ組立Ｇを構成するケーシング５１の側面部を外してギヤ列の一部を示している。ただし、上記第１の駆動モータ４６の支持座ｋと、上記第２の駆動モータ４７の支持座ｍが近接した位置に設けられることと、上記第４の駆動モータ４９の支持座ｎがケーシング５１の下端部に設けられることを示している。
【手続補正７】
【補正対象書類名】明細書
【補正対象項目名】００４６
【補正方法】変更
【補正の内容】
【００４６】
このように、第１、第２の駆動モータ４６，４７からギヤ列Ｇの組合せで、前部移動機構５２と上部移動機構５３とからなる上記エアフィルタ移動機構５５が構成される。  
一方、ここでは図示しない上記第４の駆動モータ４９の回転軸はケーシング５１を介して内部に突出し、この回転軸に駆動レバー６５の基端部が嵌着固定される。上記駆動レバー６５は基端部から軸方向とは直交する方向に一体に延設される舌片部６５ａを備えていて、この舌片部６５ａの先端に上記駆動アーム６４の基端部が回動自在に連結される。  
これら第４の駆動モータ４９、駆動レバー６５、駆動アーム６４、ギヤＤで、上記切換え機構６１が構成される。すなわち、上記第４の駆動モータ４９の回転方向に応じて駆動レバー６５と駆動アーム６４が一体になって回動し、駆動アーム６４先端のギヤＤの位置が変動するよう構成される。
【手続補正８】
【補正対象書類名】明細書
【補正対象項目名】００５４
【補正方法】変更
【補正の内容】
【００５４】
これらギヤアーム６６、シール駆動用カム７１、シールガイド機構７４で、シール部材３４に対する上記リフト機構４５が構成される。  
つぎに、上記前部移動機構５２および上部移動機構５３について説明する。  
再び図５および図６に示すように、上記ダストボックス３２の開口部３３を開閉するシール部材３４の両側部に沿って一対の支軸７５ａ，７５ｂが設けられる。それぞれの支軸７５ａ，７５ｂの一端部（右側端部）には、先に図１２で説明したように、上記ギヤ列を構成する前部用ギヤＦｆもしくは上部用ギヤＦｕが嵌着固定される。実際には、図５、図６の左側の支軸７５ａに前部用ギヤＦｆが取付けられ、右側の支軸７５ｂに上部用ギヤＦｕが取付けられる。
【手続補正９】
【補正対象書類名】明細書
【補正対象項目名】００６１
【補正方法】変更
【補正の内容】
【００６１】
同様に、上記上部ガイド８５は、ボックスケース３２ａの幅方向に亘って設けられ、ステンレス棒からなる上部ガイド軸８６を備えている。上部ガイド軸８６は枠体組立１６の上面側に位置し、かつ枠体組立１６を介して上部エアフィルタ駆動ギヤ７７が嵌着される支軸７５ｂと並行して設けられている。  
ここでは特に図示していないが、上部ガイド軸８６の左右両側部と中央部にも、ダストボックス３２と上部ガイド軸８６との間隔を均一に保持する間隔保持具が設けられる。この間隔保持具は、ボックスケース３２ａの角部に接離自在な突部を備え、この突部をボックスケース３２ａに当接することにより上部ガイド軸８６の位置が固定化され、かつダストボックス３２に対する上部ガイド軸８６との間隔が互いの全長に亘って均一に設定されることも同様である。
【手続補正１０】
【補正対象書類名】明細書
【補正対象項目名】００６２
【補正方法】変更
【補正の内容】
【００６２】
さらに、上部ガイド軸８６には、分割された各上部エアフィルタ２０の中央補強桟ａと対向する部位にフィルタガイド８８が取付けられる。このフィルタガイド８８は断面が変形楕円状をなし、表面は平滑な合成樹脂材から形成されていて、上記中央補強桟ａの幅寸法よりも若干大きな幅寸法を有する。  
各フィルタガイド８８の上面側で、幅方向両側部にはガイド鍔部ｔが設けられていて、これらガイド鍔部ｔ相互間に上記中央補強桟ａの幅方向を嵌め込むことが可能である。また、通常の状態でフィルタガイド８８の周面下端側一部は上部エアフィルタ２０の中央補強桟ａ上面に接触するよう組立てられる。
【手続補正１１】
【補正対象書類名】明細書
【補正対象項目名】００８０
【補正方法】変更
【補正の内容】
【００８０】
前部エアフィルタ１７が上記隙間を通過する際、中央補強桟ａが上部ガイド８５を構成するフィルタガイド８８に摺接する。具体的には、中央補強桟ａはフィルタガイド８８に設けられるガイド鍔部ｔに嵌め込まれながら摺動する。しかも、前部エアフィルタ１７は両側部を枠体組立１６に設けられるガイド部に沿って案内されているので、幅方向に傾くことなく正しい姿勢を保持して上昇移動する。
【手続補正１２】
【補正対象書類名】明細書
【補正対象項目名】００９５
【補正方法】変更
【補正の内容】
【００９５】
上記駆動アーム６４に支持されるギヤＤは上部用ギヤＦｕから離間して噛合関係が解消し、かつ前部用ギヤＦｆからも離間していて噛合関係となっていない。ギヤＤは上部用ギヤＦｕと前部用ギヤＦｆのちょうど中間部にあって、ギヤＣのみと噛合関係にある。そして、駆動アーム６４に連結されるギヤアーム６６は略垂直位置にあって、シール用支軸７０に設けられるシール駆動用カム７１のカム部ｑもまた略垂直位置にある。